(57)【要約】【課題】顧客の肌色に似合う髪色を、顧客にわかりやすくかつ的確に提案することができるようにする。【解決手段】色票集１と、肌色／髪色対照用シート集２を備える。色票集は、肌色に関する所定数の段階の色区分に対応する色数の色票３を備える。肌色／髪色対照用シート集は、少なくとも１枚の不透明な第１のシート５と、第１のシートに重ね合わされる少なくとも１枚の透明な第２のシート６とからなる。第１のシートには、色票集の色票の数に対応する数の同一形状のモデルの顔７ａ〜７ｆが印刷され、印刷されたモデルは、それぞれ色票集の各色票の色に対応する異なる肌色を有するが、すべて白色の髪色を有する。第２のシートには、第１のシートに重ね合わされたときに第１のシートに印刷されたそれぞれのモデルの頭髪に重なる位置に、それと同じ髪形を有しかつヘアカラー剤による染上がり予想髪色を有する第２の頭髪８ａ〜８ｆが印刷される。【選択図】図１
0003103339.tif 000002
【実用新案登録請求の範囲】
【請求項１】
顧客の肌色を決定するための色票集と、顧客の肌色と髪色との調和の程度を評価するための肌色／髪色対照用シート集とからなり、
前記色票集は、肌色に関する所定数の段階の色区分に対応する色数の色票を備え、
前記肌色／髪色対照用シート集は、少なくとも１枚の不透明な第１のシートと、前記第１のシートに重ね合わされる少なくとも１枚の透明な第２のシートとからなり、前記第１のシートには、前記色票集の色票の数に対応する数の同一形状のモデルの顔が印刷され、前記印刷されたモデルは、それぞれ前記色票集の各色票の色に対応する異なる肌色を有するが、すべて白色の髪色を有し、前記第２のシートには、前記第１のシートに重ね合わされたときに前記第１のシートに印刷されたそれぞれのモデルの頭髪に重なる位置に、それと同じ髪形を有しかつ予め準備されたヘアカラー剤による染上がり予想髪色を有する第２の頭髪が印刷されていることを特徴とする顧客の肌色に似合う髪色を提案するためのユニット。
【請求項２】
前記第２のシートは、前記ヘアカラー剤の色毎に少なくとも１枚備えられ、前記ヘアカラー剤の色毎に、前記第２のシートに印刷された第２の頭髪は、対応するヘアカラー剤による染上がり予想髪色を有していることを特徴とする請求項１に記載のユニット。
【請求項３】
顧客の肌色を決定するための色票集と、顧客の肌色と髪色との調和の程度を評価するための肌色／髪色対照用シート集とからなり、
前記色票集は、肌色に関する所定数の段階の色区分に対応する色数の色票を備え、
前記肌色／髪色対照用シート集は、少なくとも１枚の不透明な第１のシートと、前記第１のシートに重ね合わされる少なくとも１枚の透明な第２のシートと、前記第２のシートとともに前記第１のシートに重ね合わされる少なくとも１枚の透明な第３のシートとからなり、前記第１のシートには、前記色票集の色票の数に対応する数の同一形状のモデルの顔が印刷され、前記印刷されたモデルは、それぞれ前記色票集の各色票の色に対応する異なる肌色を有するが、すべて白色の髪色を有し、前記第２のシートには、前記第１のシートに重ね合わされたときに前記第１のシートに印刷されたそれぞれのモデルの頭髪に重なる位置に、それと同じ髪形を有しかつ予め準備されたヘアカラー剤の色と同じ色を有する第２の頭髪が印刷され、前記第３のシートは、茶色の明度に関する所定数の段階の色区分毎に少なくとも１枚備えられ、前記茶色の明度に関する色区分毎に、前記第３のシートには、前記第１のシートに重ね合わされたときに前記第１のシートに印刷されたそれぞれのモデルの頭髪に重なる位置に、それと同じ髪形を有し対応する茶色を有する第３の頭髪が印刷されていることを特徴とする顧客の肌色に似合う髪色を提案するためのユニット。
【請求項４】
顧客の肌色を決定するための色票集と、顧客の肌色と髪色との調和の程度を評価するための肌色／髪色対照用シート集とからなり、
前記色票集は、肌色に関する所定数の段階の色区分に対応する色数の色票を備え、
前記肌色／髪色対照用シート集は、少なくとも１枚の不透明な第１のシートと、前記第１のシートに重ね合わされる少なくとも１枚の透明な第２のシートと、前記第２のシートとともに前記第１のシートに重ね合わされる少なくとも１枚の透明な第３のシートとからなり、
前記色票集の各色票が表示する肌色は、それぞれ、ブルーアンダートーン、ナチュラルアンダートーンおよびイエローアンダートーンの３つのアンダートーンに分類され、さらに、前記３つのアンダートーンの分類のそれぞれにおいて高明度、中明度、低明度の３つの明度に分類され、
前記肌色／髪色対照用シート集の第１のシートには、前記色票集の各色票が表示する肌色の分類に対応して９つの同一形状のモデルの顔が少なくとも１組印刷され、かつその組毎に前記印刷されたモデルは、それぞれ前記各色票が表示する肌色の分類に対応する異なる肌色を有するが、すべて白色の髪色を有し、前記第２のシートには、前記第１のシートに重ね合わされたときに前記第１のシートに印刷されたそれぞれのモデルの頭髪に重なる位置に、それと同じ髪形を有しかつ予め準備されたヘアカラー剤の色と同じ色を有する第２の髪形が印刷され、前記第３のシートは、高明度の茶色および低明度の茶色の茶色に関する２つの色区分毎に少なくとも１枚備えられ、前記茶色に関する２つの色区分毎に、前記第３のシートには、前記第１のシートに重ね合わされたときに前記第１のシートに印刷されたそれぞれのモデルの頭髪に重なる位置に、それと同じ髪形を有しかつ対応する茶色を有する第３の頭髪が印刷されていることを特徴とする顧客の肌色に似合う髪色を提案するためのユニット。
【請求項５】
前記第1のシートは、前記アンダートーン毎に１枚備えられ、前記第１のシートには、それぞれ対応するアンダートーンの高明度、中明度および低明度の肌色を有するモデルの顔が、少なくとも１組印刷されていることを特徴とする請求項４に記載のユニット。
【請求項６】
前記第２のシートは、前記ヘアカラー剤の色毎に少なくとも１枚備えられ、前記ヘアカラー剤の色毎に、前記第２のシートに印刷された第２の頭髪は、対応するヘアカラー剤の色と同じ色を有していることを特徴とする請求項３〜請求項５のいずれかに記載のユニット。
【請求項７】
前記色票集は、肌色に関する３０〜６０段階の色区分に対応する色数の色票を有していることを特徴とする請求項１〜請求項６のいずれかに記載のユニット。
【考案の詳細な説明】
【技術分野】
【０００１】
本考案は、美容室等において、顧客に対して顧客の肌色に似合う髪色を提案するためのユニットに関するものである。
【背景技術】
【０００２】
近年、多数の女性がヘアカラーリングをするようになり、髪の長さやヘアスタイルと同様に、髪色が個人の外観や印象に影響する要素であるとの認識がなされ、さらには、髪色を含む顔全体のトータルなカラーコーディネートを行うという意識が高まってきており、このトータル・カラーコーディネーションの一部として、消費者が自分の顔の肌色に似合う髪色を選択する傾向が生じている。
【０００３】
ところで、従来は、肌色を測定するための手段として、ドレープや色見本カードがあり、また、ヘアカラー剤を選択するための手段として、予め準備された各色のヘアカラー剤によって実際に染められた毛髪の束の組を備えたヘアカラー色見本があった。
【０００４】
そして、美容室等において、ヘアカラーリングの実施前に、まず最初に、ドレープや色見本カードを用いて顧客の顔の肌色が測定され、その測定結果を見ながら、ヘアカラー色見本に基づいて、顧客の肌色に似合う髪色を提案することがなされていた。
【０００５】
しかしながら、この方法では、測定した顧客の肌色とヘアカラー剤による染上がり予想髪色を直接対照することができないので、顧客にわかりにくく、顧客に対するアドバイスを的確に行うことができなかった。
【考案の開示】
【考案が解決しようとする課題】
【０００６】
したがって、本考案の課題は、美容室等において、ヘアカラーリングの実施前に、顧客の肌色に似合う髪色を、顧客にわかりやすくかつ的確に提案することができるようにすることにある。
【課題を解決するための手段】
【０００７】
上記課題を解決するため、第１の考案は、顧客の肌色を決定するための色票集と、顧客の肌色と髪色との調和の程度を評価するための肌色／髪色対照用シート集とからなり、前記色票集は、肌色に関する所定数の段階の色区分に対応する色数の色票を備え、前記肌色／髪色対照用シート集は、少なくとも１枚の不透明な第１のシートと、前記第１のシートに重ね合わされる少なくとも１枚の透明な第２のシートとからなり、前記第１のシートには、前記色票集の色票の数に対応する数の同一形状のモデルの顔が印刷され、前記印刷されたモデルは、それぞれ前記色票集の各色票の色に対応する異なる肌色を有するが、すべて白色の髪色を有し、前記第２のシートには、前記第１のシートに重ね合わされたときに前記第１のシートに印刷されたそれぞれのモデルの頭髪に重なる位置に、それと同じ髪形を有しかつ予め準備されたヘアカラー剤による染上がり予想髪色を有する第２の頭髪が印刷されていることを特徴とする顧客の肌色に似合う髪色を提案するためのユニットを構成したものである。
第１の考案の好ましい実施例によれば、前記第２のシートは、前記ヘアカラー剤の色毎に少なくとも１枚備えられ、前記ヘアカラー剤の色毎に、前記第２のシートに印刷された第２の頭髪は対応するヘアカラー剤による染上がり予想髪色を有している。
【０００８】
また、上記課題を解決するため、第２の考案は、顧客の肌色を決定するための色票集と、顧客の肌色と髪色との調和の程度を評価するための肌色／髪色対照用シート集とからなり、前記色票集は、肌色に関する所定数の段階の色区分に対応する色数の色票を備え、前記肌色／髪色対照用シート集は、少なくとも１枚の不透明な第１のシートと、前記第１のシートに重ね合わされる少なくとも１枚の透明な第２のシートと、前記第２のシートとともに前記第１のシートに重ね合わされる少なくとも１枚の透明な第３のシートとからなり、前記第１のシートには、前記色票集の色票の数に対応する数の同一形状のモデルの顔が印刷され、前記印刷されたモデルは、それぞれ前記色票集の各色票の色に対応する異なる肌色を有するが、すべて白色の髪色を有し、前記第２のシートには、前記第１のシートに重ね合わされたときに前記第１のシートに印刷されたそれぞれのモデルの頭髪に重なる位置に、それと同じ髪形を有しかつ予め準備されたヘアカラー剤の色と同じ色を有する第２の頭髪が印刷され、前記第３のシートは、茶色の明度に関する所定数の段階の色区分毎に少なくとも１枚備えられ、前記茶色の明度に関する色区分毎に、前記第３のシートには、前記第１のシートに重ね合わされたときに前記第１のシートに印刷されたそれぞれのモデルの頭髪に重なる位置に、それと同じ髪形を有し対応する茶色を有する第３の頭髪が印刷されていることを特徴とする顧客の肌色に似合う髪色を提案するためのユニットを構成したものである。
【０００９】
上記課題を解決するため、また、第３の考案は、顧客の肌色を決定するための色票集と、顧客の肌色と髪色との調和の程度を評価するための肌色／髪色対照用シート集とからなり、前記色票集は、肌色に関する所定数の段階の色区分に対応する色数の色票を備え、前記肌色／髪色対照用シート集は、少なくとも１枚の不透明な第１のシートと、前記第１のシートに重ね合わされる少なくとも１枚の透明な第２のシートと、前記第２のシートとともに前記第１のシートに重ね合わされる少なくとも１枚の透明な第３のシートとからなり、前記色票集の各色票が表示する肌色は、それぞれ、ブルーアンダートーン、ナチュラルアンダートーンおよびイエローアンダートーンの３つのアンダートーンに分類され、さらに、前記３つのアンダートーンの分類のそれぞれにおいて高明度、中明度、低明度の３つの明度に分類され、前記肌色／髪色対照用シート集の第１のシートには、前記色票集の各色票が表示する肌色の分類に対応して９つの同一形状のモデルの顔が少なくとも１組印刷され、かつその組毎に前記印刷されたモデルは、それぞれ前記各色票が表示する肌色の分類に対応する異なる肌色を有するが、すべて白色の髪色を有し、前記第２のシートには、前記第１のシートに重ね合わされたときに前記第１のシートに印刷されたそれぞれのモデルの頭髪に重なる位置に、それと同じ髪形を有しかつ予め準備されたヘアカラー剤の色と同じ色を有する第２の髪形が印刷され、前記第３のシートは、高明度の茶色および低明度の茶色の茶色に関する２つの色区分毎に少なくとも１枚備えられ、前記茶色に関する２つの色区分毎に、前記第３のシートには、前記第１のシートに重ね合わされたときに前記第１のシートに印刷されたそれぞれのモデルの頭髪に重なる位置に、それと同じ髪形を有しかつ対応する茶色を有する第３の頭髪が印刷されていることを特徴とする顧客の肌色に似合う髪色を提案するためのユニットを構成したものである。
【００１０】
第３の考案の好ましい実施例によれば、前記第1のシートは、前記アンダートーン毎に１枚備えられ、前記第１のシートには、それぞれ対応するアンダートーンの高明度、中明度および低明度の肌色を有するモデルの顔が、少なくとも１組印刷されている。
また、第２および第３の考案の構成において、好ましくは、前記第２のシートは、前記ヘアカラー剤の色毎に少なくとも１枚備えられ、前記ヘアカラー剤の色毎に、前記第２のシートに印刷された第２の頭髪は対応するヘアカラー剤の色と同じ色を有している。
また、第１〜第３の考案の構成において、前記色票集は、肌色に関する３０〜６０段階の色区分に対応する色数の色票を有していることが好ましい。
【考案の効果】
【００１１】
本考案によれば、色票集の各色票を顧客の顔に当てることによって、顧客の肌色を決定した後、肌色／髪色対照用シート集から、顧客の肌色と同じかまたはそれに近似する肌色のモデルの顔が印刷された第１のシートを選択し、選択した第１のシートに、第２のシート（または第１および第２のシート）を順次重ね合わすことにより、顧客は、シート上に印刷されたモデルを肌色と染上がり予想髪色との調和の程度を見ながら、自分の肌色に似合う髪色を簡単に知ることができる。こうして、本考案によれば、ヘアカラーリングの実施前に、顧客の肌色に似合う髪色を顧客にわかりやすくかつ的確に提案することができる。
【考案を実施するための最良の形態】
【００１２】
以下、添付図面を参照して、本考案の好ましい実施例について説明する。図１は、本考案の１実施例による顧客の肌色に似合う髪色を提案するためのユニットの全体構成を示した図である。図１を参照して、本考案によるユニットは、顧客の肌色を決定するための色票集１と、顧客の肌色と髪色との調和の程度を評価するための肌色／髪色対照用シート集２とからなっている。
【００１３】
色票集１は、肌色に関する所定数の段階の色区分に対応する色数の色票３を備えている。この実施例では、肌色は３０〜６０段階の色区分に分けられ、これに対応して、色票集１は３０〜６０色の色票３を備えている。また、色票３は、それぞれ、表面全体に当該色が塗られた同一形状の色カードからなり、これらの色カード（色票）をリング４によって綴じることによって色票集１が形成されている。
【００１４】
色票集１の構成はこの実施例に限定されるものではなく、例えば、図６（Ａ）に示されるように、各カード３’に２つの異なる色票１０ａ、１０ｂを印刷し、それらのカード３’をリングで綴じることによって色票集を形成してもよいし、図６（Ｂ）に示されるように、各カード３”に４つの異なる色票１１ａ〜１１ｄを印刷し、それらのカード３”をリングで綴じることによって色票集を形成してもよい。
【００１５】
肌色／髪色対照用シート集２は、少なくとも１枚の不透明な第１のシート５と、第１のシート５に重ね合わされる少なくとも１枚の透明な第２のシート６とからなっている。そして、第１のシート５には、色票集１の色票３の数に対応する数の同一形状のモデルの顔７ａ〜７ｆが印刷されている。第１のシート５に印刷されたモデル７ａ〜７ｆは、それぞれ色票集１の各色票３の色に対応する異なる肌色を有するが、すべて白色の髪色を有している。なお、この実施例では、第１のシート５毎に、同じ数（６つ）のモデルの顔が同じ位置関係において印刷される。
【００１６】
図２は、図１の肌色／髪色対照用シート集２の構成を説明する図であり、（Ａ）は第１のシートを示し、（Ｂ）は第２のシートを示している。図２を参照して、第２のシート６には、第１のシート５に重ね合わされたときに第１のシート５に印刷されたそれぞれのモデル７ａ〜７ｆの頭髪９ａ〜９ｆに重なる位置に、それと同じ髪形を有しかつ予め準備されたヘアカラー剤による染上がり予想髪色を有する第２の頭髪８ａ〜８ｆが印刷されている。この場合、第２のシート６は、ヘアカラー剤の色毎に少なくとも１枚備えられ、ヘアカラー剤の色毎に、第２のシート６に印刷された第２の頭髪８ａ〜８ｆは、対応するヘアカラー剤による染上がり予想髪色を有していることが好ましい。
【００１７】
本考案によるユニットの使用方法は次のとおりである。このユニットは、主として、美容室において、ヘアカラーリングの実施前に、美容師が顧客に対してカウンセリングを行う際に使用される。まず最初、色票集１の各色票３を顧客の顔に当てることによって、顧客の肌色が決定される。そして、肌色／髪色対照用シート集２から、顧客の肌色と同じかまたはそれに近似する肌色のモデルの顔が印刷された第１のシート５が選択され、選択された第１のシート１に、第２のシート６が順次重ね合わされる。それによって、顧客は、シート上に印刷されたモデルを肌色と染上がり予想髪色との調和の程度を見ながら、ヘアカラーリングを簡単にシミュレーションし、自分の肌色に似合う髪色を知ることができる。こうして、本考案によるユニットによれば、ヘアカラーリングの実施前に、顧客の肌色に似合う髪色を顧客にわかりやすくかつ的確に提案することができる。
【００１８】
図３は、本考案の別の実施例による顧客の肌色に似合う髪色を提案するためのユニットの全体構成を示した図である。図３において、図1と同一の構成要素には同一の番号を付し、説明の繰り返しを避けることにする。図３を参照して、本考案によるユニットは、顧客の肌色を決定するための色票集１と、顧客の肌色と髪色との調和の程度を評価するための肌色／髪色対照用シート集１５とからなっている。
【００１９】
この実施例では、色票集１は、図１の実施例と同様の構成を有している。肌色／髪色対照用シート集１５は、少なくとも１枚の不透明な第１のシート１２ａ〜１２ｃと、第１のシート１２ａ〜１２ｃに重ね合わされる少なくとも１枚の透明な第２のシート１３と、第２のシート１３とともに第１のシート１２ａ〜１２ｃに重ね合わされる少なくとも１枚の透明な第３のシート１４ａ、１４ｂとからなっている。
【００２０】
色票集１の各色票３が表示する肌色は、それぞれ、ブルーアンダートーン、ナチュラルアンダートーンおよびイエローアンダートーンの３つのアンダートーンに分類され、さらに、これら３つのアンダートーンの分類のそれぞれにおいて高明度、中明度、低明度の３つの明度に分類される。
【００２１】
そして、肌色／髪色対照用シート集１５の第１のシート１２ａ〜１２ｃには、色票集１の各色票３が表示する肌色の分類に対応して９つの同一形状のモデルの顔が少なくとも１組印刷される。
図４は、この実施例における肌色／髪色対照用シート集の第１のシートの構成を示す図である。図４を参照して、第１のシート１２ａ〜１２ｃは、アンダートーン毎に１枚（合計３枚）備えられる（ブルーアンダートーンに対する第１のシート１２ａ（図４（Ａ）参照）、ナチュラルアンダートーンに対する第１のシート１２ｂ（図４（Ｂ）参照）、およびイエローアンダートーンに対する第１のシート１２ｃ（図４（Ｃ）参照））。さらに、第１のシート１２ａ〜１２ｃには、それぞれ、対応するアンダートーンの高明度、中明度および低明度の肌色を有するモデルの顔が、少なくとも１組、この実施例では２組印刷されている。すなわち、図４（Ａ）に示されるように、第１のシート１２ａの上段および下段には、それぞれ、ブルーアンダートーンの高明度、中明度および低明度の肌色を有するモデルの顔１６ａ、１６ｂおよび１６ｃが並んで印刷され、図４（Ｂ）に示されるように、第１のシート１２ｂの上段および下段には、それぞれ、ナチュラルアンダートーンの高明度、中明度および低明度の肌色を有するモデルの顔１６ｄ、１６ｅおよび１６ｆが並んで印刷され、また、図４（Ｃ）に示されるように、第１のシート１２ｃの上段および下段には、それぞれ、イエローアンダートーンの高明度、中明度および低明度の肌色を有するモデルの顔１６ｇ、１６ｈおよび１６ｉが並んで印刷される。なお、第１のシート１２ａ〜１２ｃに印刷されたモデル１６ａ〜１６ｉはすべて白色の髪色を有している。また第１のシート１２ａ〜１２ｃ毎に、６つのモデルの顔が同じ位置関係において印刷される。
【００２２】
第２のシート１３は、予め準備されたヘアカラー剤の色毎に少なくとも１枚、この実施例では１枚備えられる。図５（Ａ）は、一の色のヘアカラー剤に対して備えられた第２のシートの構成を示す図である。図５（Ａ）を参照して、第２のシート１３には、第１のシート１２ａ〜１２ｃに重ね合わされたときに第１のシート１２ａ〜１２ｃに印刷されたそれぞれのモデル１６ａ〜１６ｉの頭髪に重なる位置に、それと同じ髪形を有しかつ対応するヘアカラー剤の色と同じ色を有する第２の髪形１７が印刷される。第２のシート１３の構成は、他のすべての色のヘアカラー剤に対しても同様である。
【００２３】
第３のシート１４ａ、１４ｂは、茶色の明度に関する所定数の段階の色区分毎に、この実施例では、高明度の茶色および低明度の茶色の２つの色区分毎に少なくとも１枚、この実施例では１枚備えられる。図５（Ｂ）は、茶色の一方の色区分に対して備えられた第３のシートの構成を示す図である。図５（Ｂ）を参照して、第３のシート１４ａには、第１のシート１２ａ〜１２ｃに重ね合わされたときに第１のシート１２ａ〜１２ｃに印刷されたそれぞれのモデル１６ａ〜１６ｉの頭髪に重なる位置に、それと同じ髪形を有しかつ対応する茶色を有する第３の頭髪１８が印刷される。茶色の他方の色区分に対して備えられた第３のシートの構成もこれと同様である。
【００２４】
こうして、まず最初、色票集１の各色票３を顧客の顔に当てることによって、顧客の肌色が決定される。そして、肌色／髪色対照用シート集１５から、顧客の肌色と同じかまたはそれに近似する肌色のモデルの顔が印刷された第１のシート１２ａ〜１２ｃが選択され、選択された第１のシート１２ａ〜１２ｃに、第２のシート１３および第３のシート１４ａ、１４ｂが順次重ね合わされる。この場合、第３のシート１４ａ、１４ｂは、ブリーチングされた顧客の毛髪の髪色を表し、よって、第２のシート１３と第３のシート１４ａ、１４ｂを重ね合わせて生じた色が、ヘアカラー剤による染上がり予想髪色となる。そして、顧客のヘアカラーリング前の髪色から判断して、２種類の第３のシート１４ａ、１４ｂのうちからより適切な方が選択され、第２のシート１３に重ね合わされる。
そして、顧客は、シート上に印刷されたモデルを肌色と染上がり予想髪色との調和の程度を見ながら、ヘアカラーリングを簡単にシミュレーションし、自分の肌色に似合う髪色を知ることができる。
【００２５】
本考案の構成は上述の実施例に限定されるものではなく、例えば、肌色／髪色対照用シート集を、少なくとも１枚の不透明な第１のシートと、第１のシートに重ね合わされる少なくとも１枚の透明な第２のシートと、第２のシートとともに第１のシートに重ね合わされる少なくとも１枚の透明な第３のシートとから構成し、第１のシートには、色票集の色票の数に対応する数の同一形状のモデルの顔を印刷し、モデルはそれぞれ色票集の各色票の色に対応する異なる肌色を有するが、すべて白色の髪色を有するようにし、第２のシートには、第１のシートに重ね合わせたときに第１のシートのそれぞれのモデルの頭髪に重なる位置に、それと同じ髪形を有しかつ予め準備したヘアカラー剤の色と同じ色を有する第２の頭髪を印刷し、第３のシートを茶色の明度に関する所定数の段階の色区分毎に少なくとも１枚準備し、茶色の明度に関する色区分毎に、第３のシートには、第１のシートに重ね合わせたときに第１のシートに印刷したそれぞれのモデルの頭髪に重なる位置に、それと同じ髪形を有し対応する茶色を有する第３の頭髪を印刷するようにしてもよい。
【図面の簡単な説明】
【００２６】
【図１】本考案の１実施例による顧客の肌色に似合う髪色を提案するためのユニットの全体構成を示す図である。
【図２】図１のユニットの肌色／髪色対照用シート集を示す図であり、（Ａ）は第１のシートを、（Ｂ）は第２のシートを示している。
【図３】本考案の別の実施例による顧客の肌色に似合う髪色を提案するためのユニットの全体構成を示す図である。
【図４】図３のユニットにおける肌色／髪色対照用シート集の第１のシートの構成を示す図であり、（Ａ）はブルーアンダートーンに対する第１のシートを示し、（Ｂ）はナチュラルアンダートーンに対する第１のシートを示し、（Ｃ）はイエローアンダートーンに対する第１のシートを示している。
【図５】図３のユニットにおける肌色／髪色対照用シート集の第２および第３のシートの構成を示す図であり、（Ａ）は第２のシートを示し、（Ｂ）は第３のシートを示している。
【図６】色票集の変形例を示す図である。
【符号の説明】
【００２７】
１  色票集
２  肌色／髪色対照用シート集
３  色票
４  リング
５  第１のシート
６  第２のシート
７ａ〜７ｆ  モデルの顔
８ａ〜８ｆ  第２の髪形
【図１】
0003103339.tif 000003
【図２】
0003103339.tif 000004
【図３】
0003103339.tif 000005
【図４】
0003103339.tif 000006
【図５】
0003103339.tif 000007
【図６】
0003103339.tif 000008